(57)【要約】      （修正有）【課題】第１モード（ウェアラブル装置に装着されたときなど）では、フレーム周波数を高くし第２画素領域のみにて映像表示を行う表示装置及びその駆動方法において、画素電極へのデータパルスの書き込み時間が不充分になるのを抑え、映像表示の品質を高く保つ。【解決手段】第１画素領域ＡＡ１に位置し、第１走査線と連結される第１画素ＰＸＬ１；第１走査線に第１走査信号を供給する第１走査駆動部；第２画素領域ＡＡ２に位置し、第２走査線と連結される第２画素ＰＸＬ２；前記第２走査線に第２走査信号を供給する第２走査駆動部；第３画素領域ＡＡ３に位置し、第３走査線と連結される第３画素ＰＸＬ３；および前記第３走査線に第３走査信号を供給する第３走査駆動部を含み、第１モードで、第１走査信号のうちの少なくとも一部は、それぞれ第１パルス幅を有し、第２走査信号のうちの少なくとも一部は、それぞれ第１パルス幅と異なる第２パルス幅を有する。【選択図】図２
2018097360.tif 000002
【特許請求の範囲】
【請求項１】
第１画素領域に位置し、第１走査線と連結される第１画素；
前記第１走査線に第１走査信号を供給する第１走査駆動部；
第２画素領域に位置し、第２走査線と連結される第２画素；
前記第２走査線に第２走査信号を供給する第２走査駆動部；
第３画素領域に位置し、第３走査線と連結される第３画素；および
前記第３走査線に第３走査信号を供給する第３走査駆動部を含み、
第１モードで、前記第１走査信号のうちの少なくとも一部は、それぞれ第１パルス幅を有し、前記第２走査信号のうちの少なくとも一部は、それぞれ前記第１パルス幅と異なる第２パルス幅を有する、表示装置。
【請求項２】
前記第１パルス幅は、前記第２パルス幅より小さい、請求項１に記載の表示装置。
【請求項３】
前記第１モードと異なる第２モードで、前記第１走査信号および前記第２走査信号は、互いに同じパルス幅を有する、請求項１に記載の表示装置。
【請求項４】
前記第１モードで、前記第３走査信号のうちの少なくとも一部は、それぞれ前記第２パルス幅と異なる第３パルス幅を有する、請求項３に記載の表示装置。
【請求項５】
前記第３パルス幅は、前記第２パルス幅より小さい、請求項４に記載の表示装置。
【請求項６】
前記第２モードで、前記第３走査信号は、前記第１走査信号および前記第２走査信号と同じパルス幅を有する、請求項４に記載の表示装置。
【請求項７】
前記第２画素領域は、前記第１画素領域と前記第３画素領域との間に位置する、請求項１に記載の表示装置。
【請求項８】
前記第１画素領域と前記第３画素領域は、前記第２画素領域より小さな面積を有する、請求項１に記載の表示装置。
【請求項９】
前記第１走査駆動部、前記第２走査駆動部および前記第３走査駆動部は、一つのフレーム期間の間に、前記第１走査信号、前記第２走査信号および前記第３走査信号を順次供給する、請求項１に記載の表示装置。
【請求項１０】
前記一つのフレーム期間は、前記第１走査信号が供給される第１期間、前記第２走査信号が供給される第２期間、および前記第３走査信号が供給される第３期間を含む、請求項９に記載の表示装置。
【請求項１１】
前記第１モードで、前記第１期間および前記第３期間にそれぞれ含まれた水平期間の幅は、前記第２期間に含まれた水平期間の幅より小さい、請求項１０に記載の表示装置。
【請求項１２】
前記第２モードで、前記第１期間、前記第２期間、および前記第３期間にそれぞれ含まれた水平期間の幅は、互いに同じである、請求項１１に記載の表示装置。
【請求項１３】
前記第１走査信号、前記第２走査信号、および第３走査信号は、それぞれ複数個のパルスを含む、請求項１に記載の表示装置。
【請求項１４】
前記第１モードで、前記第１画素領域の各水平ラインは互いに同じ映像を表示し、前記第３画素領域の各水平ラインは互いに同じ映像を表示する、請求項１に記載の表示装置。
【請求項１５】
前記第１モードで、現在フレームの間に、前記第１画素領域の各水平ラインは、直前フレームの間に前記第２画素領域の一番目の水平ラインに表示された映像と同じ映像を表示する、請求項１４に記載の表示装置。
【請求項１６】
前記第１モードで、現在フレームの間に、前記第３画素領域の各水平ラインは、直前フレームの間に前記第２画素領域の最後の水平ラインに表示された映像と同じ映像を表示する、請求項１５に記載の表示装置。
【請求項１７】
前記第１モードで、
前記第１走査駆動部は、開始信号に対応して前記第１走査信号の供給を開始し、
前記第２走査駆動部は、前記第１走査信号のうちの最後の第１走査信号に対応して前記第２走査信号の供給を開始し、
前記第３走査駆動部は、前記第２走査信号のうちの最後の第２走査信号に対応して前記第３走査信号の供給を開始する、請求項１に記載の表示装置。
【請求項１８】
第２モードで、互いに同じパルス幅を有する第１走査信号、第２走査信号、および第３走査信号を、それぞれ、第１画素領域の第１画素、第２画素領域の第２画素および第３画素領域の第３画素に供給する段階；および
前記第２モードから第１モードに進入した際に、第１パルス幅を有する第１走査信号、第２パルス幅を有する第２走査信号、および第３パルス幅を有する第３走査信号を、それぞれ、前記第１画素、前記第２画素および前記第３画素に供給する段階を含み、
前記第１パルス幅および前記第３パルス幅は、前記第２パルス幅と異なる、表示装置の駆動方法。
【請求項１９】
前記第１パルス幅および前記第３パルス幅は、前記第２パルス幅より小さい、請求項１８に記載の表示装置の駆動方法。
【請求項２０】
前記表示装置がウェアラブル装置に装着されたときに、前記第１モードに進入する、請求項１８に記載の表示装置の駆動方法。
【発明の詳細な説明】
【技術分野】
【０００１】
本発明の実施例は表示装置およびその駆動方法に関する。
【背景技術】
【０００２】
最近、体に直接着用され得る形態の多様な電子装置が開発されている。このような装置は、普通、ウェアラブル（Ｗｅａｒａｂｌｅ）電子装置と呼ばれる。
【０００３】
特に、ウェアラブル電子装置の一例として、ヘッドマウントディスプレイ（Ｈｅａｄ  Ｍｏｕｎｔｅｄ  Ｄｉｓｐｌａｙ  Ｄｅｖｉｃｅ：以下「ＨＭＤ」とする）は、現場感のある映像を表示するので、高度な没入感を提供して、映画の鑑賞などを含めて多様な用途で使われている。
【先行技術文献】
【特許文献】
【０００４】
【特許文献１】韓国公開特許第10-2015-0001425号公報
【特許文献２】韓国公開特許第10-2016-0130628号公報
【発明の概要】
【発明が解決しようとする課題】
【０００５】
本発明の実施例は表示品質が向上した表示装置およびその駆動方法を提供するためのものである。
【課題を解決するための手段】
【０００６】
本発明の実施例に係る表示装置は、第１画素領域に位置し、第１走査線と連結される第１画素、前記第１走査線に第１走査信号を供給する第１走査駆動部、第２画素領域に位置し、第２走査線と連結される第２画素、前記第２走査線に第２走査信号を供給する第２走査駆動部、第３画素領域に位置し、第３走査線と連結される第３画素および前記第３走査線に第３走査信号を供給する第３走査駆動部を含み、第１モードで、前記第１走査信号のうちの少なくとも一部は、それぞれ第１パルス幅を有し、前記第２走査信号のうちの少なくとも一部は、それぞれ前記第１パルス幅と異なる第２パルス幅を有することができる。
【０００７】
また、前記第１パルス幅は、前記第２パルス幅より小さく設定され得る。
【０００８】
また、前記第１モードと異なる第２モードで、前記第１走査信号および前記第２走査信号は、同じパルス幅を有することができる。
【０００９】
また、前記第１モードで、前記第３走査信号のうちの少なくとも一部は、それぞれ前記第２パルス幅と異なる第３パルス幅を有することができる。
【００１０】
また、前記第３パルス幅は、前記第２パルス幅より小さく設定され得る。
【００１１】
また、前記第２モードで、前記第３走査信号は、前記第１走査信号および前記第２走査信号と同じパルス幅を有することができる。
【００１２】
また、前記第２画素領域は、前記第１画素領域と前記第３画素領域との間に位置することができる。
【００１３】
また、前記第１画素領域と前記第３画素領域は、前記第２画素領域より小さな面積を有することができる。
【００１４】
また、前記第１走査駆動部、前記第２走査駆動部および前記第３走査駆動部は、一つのフレーム期間の間に、前記第１走査信号、前記第２走査信号および前記第３走査信号を順次供給することができる。
【００１５】
また、前記一つのフレーム期間は、前記第１走査信号が供給される第１期間、前記第２走査信号が供給される第２期間、および前記第３走査信号が供給される第３期間を含むことができる。
【００１６】
また、前記第１モードで、前記第１期間および前記第３期間にそれぞれ含まれた水平期間の幅は、前記第２期間に含まれた水平期間の幅より小さく設定され得る。
【００１７】
また、前記第２モードで、前記第１期間、前記第２期間、および前記第３期間にそれぞれ含まれた水平期間の幅は、互いに同一に設定され得る。
【００１８】
また、前記第１走査信号、前記第２走査信号、および第３走査信号は、それぞれ複数個のパルスを含むことができる。
【００１９】
また、前記第１モードで、前記第１画素領域の各水平ラインは互いに同じ映像を表示し、前記第３画素領域の各水平ラインは互いに同じ映像を表示することができる。
【００２０】
また、前記第１モードで、現在フレームの間に、前記第１画素領域の各水平ラインは、以前（特には直前）のフレームの間前記第２画素領域の一番目の水平ラインに表示された映像と同じ映像を表示することができる。
【００２１】
また、前記第１モードで、現在フレームの間に、前記第３画素領域の各水平ラインは、以前のフレームの間前記第２画素領域の最後の水平ラインに表示された映像と同じ映像を表示することができる。
【００２２】
また、前記第１モードで、前記第１走査駆動部は、開始信号に対応して前記第１走査信号の供給を開始し、前記第２走査駆動部は、前記第１走査信号のうちの最後の第１走査信号に対応して前記第２走査信号の供給を開始し、前記第３走査駆動部は、前記第２走査信号のうちの最後の第２走査信号に対応して前記第３走査信号の供給を開始することができる。
【００２３】
本発明の実施例に係る表示装置の駆動方法は、第２モードで、互いに同じパルス幅を有する第１走査信号、第２走査信号、および第３走査信号を、それぞれ、第１画素領域の第１画素、第２画素領域の第２画素および第３画素領域の第３画素に供給する段階および前記第２モードから第１モードに進入した際に、第１パルス幅を有する第１走査信号、第２パルス幅を有する第２走査信号、および第３パルス幅を有する第３走査信号を、それぞれ、前記第１画素、前記第２画素および前記第３画素に供給する段階を含み、前記第１パルス幅および前記第３パルス幅は、前記第２パルス幅と異なるように設定され得る。
【００２４】
また、前記第１パルス幅および前記第３パルス幅は、前記第２パルス幅より小さく設定され得る。
【００２５】
また、前記表示装置がウェアラブル装置に装着されたときに、前記第１モードに進入するのであり得る。
【発明の効果】
【００２６】
本発明の実施例によると、表示品質が向上した表示装置およびその駆動方法を提供することができる。
【図面の簡単な説明】
【００２７】
【図１ａ】本発明の実施例に係る表示装置が、ウェアラブル装置に、側方からスライド式に装着される様子を例示的に示す斜視図である。
【図１ｂ】本発明の実施例に係る表示装置が、ウェアラブル装置に、前方から嵌め込まれて装着される様子を例示的に示す斜視図である。
【図１ｃ】図１ａ〜１ｂの表示装置についての、視認領域、及び、これを囲む非視認領域を示す、水平方向の模式的な断面図である。
【図２】本発明の実施例に係る表示装置についての、複数の画素領域、及び周辺領域を示す模式的な平面図である。
【図３】本発明の一実施例に係る表示装置の回路構成を具体的に示す回路配置図である。
【図４】図３に図示された第１画素の一実施例を示す回路構成図である。
【図５】図３に図示された走査駆動部について、より詳しく示す回路構成図である。
【図６ａ】本発明の一実施例に係る表示装置の駆動方法を説明するための信号波形図であり、第２モードでの一つのフレーム期間を示す。
【図６ｂ】本発明の一実施例に係る表示装置の駆動方法を説明するための信号波形図であり、第１モードでの一つのフレーム期間を示す。
【図７ａ】本発明の他の実施例に係る表示装置の駆動方法を説明するための信号波形図であり、第２モードでの一つのフレーム期間を示す。
【図７ｂ】本発明の他の実施例に係る表示装置の駆動方法を説明するための信号波形図であり、第１モードでの一つのフレーム期間を示す。
【図８】本発明の一実施例に係る第１モードでの第１画素領域および第３画素領域の映像表示動作を説明するための模式図である。
【図９】本発明の他の実施例に係る表示装置の回路構成を具体的に示す、図３と同様の回路配置図である。
【図１０】本発明のさらに他の実施例に係る表示装置の回路構成を具体的に示す、図９と同様の回路配置図である。
【図１１ａ】図１０に図示された第１画素の一実施例を示す、図４と同様の回路構成図である。
【図１１ｂ】図１０に図示された第１画素の一実施例についての駆動方法を示す信号波形図である。
【図１２】図１０に図示された発光駆動部をより詳しく示す、図５と同様の回路構成図である。
【図１３ａ】本発明の一実施例に係る表示装置の駆動方法を説明するための信号波形図であり、第２モードでの一つのフレーム期間を示す。
【図１３ｂ】本発明の一実施例に係る表示装置の駆動方法を説明するための信号波形図であり、第１モードでの一つのフレーム期間を示す。
【図１４ａ】本発明の他の実施例に係る表示装置の駆動方法を説明するための信号波形図であり、第２モードでの一つのフレーム期間を示す。
【図１４ｂ】本発明の他の実施例に係る表示装置の駆動方法を説明するための信号波形図であり、第１モードでの一つのフレーム期間を示す。
【図１５】本発明のさらに他の実施例に係る表示装置の回路構成を具体的に示す、図５と同様の回路構成図である。
【発明を実施するための形態】
【００２８】
その他の実施例の具体的な事項は詳細な説明および図面に含まれている。
【００２９】
本発明の利点および特徴、そしてそれらを達成する方法は、添付される図面と共に詳細に後述されている実施例を参照すると明確になるであろう。しかし、本発明は、以下で開示される実施例に限定されるものではなく、互いに異なる多様な形態で具現され得る。以下の説明において、ある部分が他の部分と連結されているとするとき、これは、直接的に連結されている場合だけでなく、その中間に他の素子を挟んで電気的に連結されている場合も含む。また、図面において、本発明と関係のない部分は、本発明の説明を明確にするために省略し、明細書全体を通じて、類似の部分には、同じ図面符号を付した。
【００３０】
以下、本発明の実施例と関連した図面を参照して、本発明の実施例に係る表示装置およびその駆動方法について説明する。
【００３１】
図１ａ〜図１ｃは本発明の実施例に係る表示装置がウェアラブル装置に装着される様子を例示的に示した図面である。
【００３２】
図１ａ〜図１ｃを参照すると、本発明の実施例に係るウェアラブル装置３０は、フレーム３１を含むことができる。
【００３３】
フレーム３１にはバンド３２が連結され得るのであり、使用者は、バンド３２を利用して、フレーム３１を頭に着用することができる。このようなフレーム３１は、表示装置１０が着脱可能に装着され得る構造を有する。
【００３４】
ウェアラブル装置３０に装着され得る表示装置１０は、例えばスマートフォンであり得る。
【００３５】
ただし、本発明の実施例に係る表示装置１０は、スマートフォンに限定されず、スマートフォンの他にも、ウェアラブル装置３０に装着可能で、表示手段を具備したものでありさえすればよく、タブレットＰＣ、電子ブックリーダー、コンピュータ、ワークステーション（ｗｏｒｋｓｔａｔｉｏｎ）、ＰＤＡ（ｐｅｒｓｏｎａｌ  ｄｉｇｉｔａｌ  ａｓｓｉｓｔａｎｔ）、ＰＭＰ（ｐｏｒｔａｂｌｅ  ｍｕｌｔｉｍｅｄｉａ  ｐｌａｙｅｒ）、カメラなどといった電子機器のうちのいずれか一つであり得る。
【００３６】
一例として、表示装置１０がフレーム３１に装着される際、表示装置１０の連結部４１と、フレーム３１の連結部３３とが電気的に接続され得るのであり、この接続により、フレーム３１と表示装置１０との間にて通信が行われ得る。
【００３７】
フレーム３１に装着された表示装置１０を制御するために、ウェアラブル装置３０は、タッチセンサ、ボタン、ホイールキー（click wheel）のうち少なくとも一つを含むことができる。
【００３８】
表示装置１０がウェアラブル装置３０に装着されると、表示装置１０はＨＭＤ装置として動作することができる。すなわち、表示装置１０がウェアラブル装置３０に装着された場合、表示装置１０は第１モード（例えば、ＶＲ(virtual reality)  Ｍｏｄｅ）で駆動し、表示装置１０がウェアラブル装置３０から分離された場合、表示装置１０は第２モード（例えば、Ｎｏｒｍａｌ  Ｍｏｄｅ）で駆動することができる。
【００３９】
表示装置１０がウェアラブル装置３０に装着されると、自動的に表示装置１０の駆動モードが第１モードに切り換えられるというのでもよく、または使用者の設定によって、第１モードに切り換えられてもよい。
【００４０】
また、表示装置１０がウェアラブル装置３０から分離されると、自動的に表示装置１０の駆動モードが第２モードに切り換えられるというのでもよく、または使用者の設定によって、第２モードに切り換えられてもよい。
【００４１】
ウェアラブル装置３０は、使用者の両眼に対応するレンズ２０を含むことができる。このようなレンズ２０は、使用者の観測視野（ＦＯＶ：Ｆｉｅｌｄ  ｏｆ  Ｖｉｅｗ）を広げるために、魚眼レンズ、広角レンズなどとして設定され得る。
【００４２】
表示装置１０がフレーム３１に固定されると、使用者はレンズ２０を通じて表示装置１０の表示領域を見ることができ、これにより、まるで一定の距離に大型のスクリーンを置いて映像を見るような効果を享受することができる。
【００４３】
図１ｃを参照すると、ウェアラブル装置３０に表示装置１０を装着して使う場合、使用者に、より躍動感のある映像が表示され得るように、表示領域の一部の領域は、フレーム３１によって遮られ得る。
【００４４】
表示装置１０の全表示領域のうち第１モードに対応して使用者に視認される領域を視認領域ＶＤＡと称する。また、表示装置１０が第１モードで駆動時使用者に視認されない領域を非視認領域ＶＮＤＡと称する。
【００４５】
この場合、レンズ２０の位置に対応する表示領域の中心部が視認領域ＶＤＡとなり得、前記中心部を除いた残りの領域が非視認領域ＶＮＤＡとなり得る。
【００４６】
表示装置１０が第１モードで駆動する場合、視認領域ＶＤＡには有効映像が表示され得るが、非視認領域ＶＮＤＡには、映像が表示されないか、ダミー映像が表示され得る。
【００４７】
これとは違い、表示装置１０が第２モードで駆動すると、表示領域の全体が使用者に視認され得る。この場合、表示領域の全体に有効映像が表示され得る。
【００４８】
本発明の実施例のように、表示装置１０をウェアラブル装置３０とともに使う場合、多様な形態の映像に接することができる長所がある。ただし、前述した通り、第１モード時に有効映像を表示する領域と、第２モード時に有効映像を表示する領域が互いに異なる。そのため、表示装置１０の駆動モードが切り換えられる場合に、視認領域と非視認領域の境界線が視認されるという問題点が発生し得る。
【００４９】
これにより、ウェアラブル装置３０に装着可能な表示装置１０に映像を表示するにあたり、前記境界線が視認されるという問題点を解決する必要がある。
【００５０】
図２は、本発明の実施例に係る表示装置の複数の画素領域を示した図面である。
【００５１】
図２を参照すると、本発明の一実施例に係る表示装置１０は画素領域ＡＡ１、ＡＡ２、ＡＡ３と周辺領域ＮＡを含むことができ、ここで、画素領域ＡＡ１、ＡＡ２、ＡＡ３と周辺領域ＮＡは、基板１１０上に設定され得る。
【００５２】
画素領域ＡＡ１、ＡＡ２、ＡＡ３には、多数の画素ＰＸＬ１、ＰＸＬ２、ＰＸＬ3が位置しており、これにより、画素領域ＡＡ１、ＡＡ２、ＡＡ３では所定の映像を表示することができる。したがって、画素領域ＡＡ１、ＡＡ２、ＡＡ３は表示領域と呼び得る。
【００５３】
周辺領域ＮＡには画素ＰＸＬ１、ＰＸＬ２、ＰＸＬ３を駆動するための構成要素（例えば、配線など）が位置しうる。周辺領域ＮＡには画素ＰＸＬ１、ＰＸＬ２、ＰＸＬ３が存在しないので、前記周辺領域ＮＡは非表示領域と呼び得る。
【００５４】
例えば、周辺領域ＮＡは、画素領域ＡＡ１、ＡＡ２、ＡＡ３の外側に存在することができ、画素領域ＡＡ１、ＡＡ２、ＡＡ３の少なくとも一部を囲む形態を有しうる。
【００５５】
画素領域ＡＡ１、ＡＡ２、ＡＡ３は、第１画素領域ＡＡ１、第１画素領域ＡＡ１の一側に位置する第２画素領域ＡＡ２、および第２画素領域ＡＡ２の一側に位置する第３画素領域ＡＡ３を含むことができる。
【００５６】
第２画素領域ＡＡ２は、第１画素領域ＡＡ１と第３画素領域ＡＡ３の間に位置し、第１画素領域ＡＡ１および第３画素領域ＡＡ３は、第２画素領域ＡＡ２に比べて小さな面積を有しうる。
【００５７】
ここで、第２画素領域ＡＡ２は、図１ｃに図示された視認領域ＶＤＡに対応し、第１画素領域ＡＡ１および第３画素領域ＡＡ３は非視認領域ＶＮＤＡに対応することができる。
【００５８】
すなわち、表示装置１０が第１モードで駆動する時、使用者は、第１画素領域ＡＡ１および第３画素領域ＡＡ３で表示される映像は見ることができず、第２画素領域ＡＡ２に表示される映像のみを見ることができる。
【００５９】
これとは違い、表示装置１０が第２モードで駆動する時、使用者は、第１〜第３画素領域ＡＡ１、ＡＡ２、ＡＡ３で表示される映像を見ることができる。
【００６０】
画素ＰＸＬ１、ＰＸＬ２、ＰＸＬ３は第１画素ＰＸＬ１、第２画素ＰＸＬ２および第３画素ＰＸＬ３を含むことができる。
【００６１】
例えば、第１画素ＰＸＬ１は第１画素領域ＡＡ１に位置し、第２画素ＰＸＬ２は第２画素領域ＡＡ２に位置し、第３画素ＰＸＬ３は第３画素領域ＡＡ３に位置することができる。
【００６２】
画素ＰＸＬ１、ＰＸＬ２、ＰＸＬ３は駆動部の制御により所定の輝度で発光することができ、このために画素ＰＸＬ１、ＰＸＬ２、ＰＸＬ３のそれぞれは発光素子（例えば、有機発光ダイオード）を含むことができる。
【００６３】
一方、図２では、第１画素領域ＡＡ１、第２画素領域ＡＡ２および第３画素領域ＡＡ３について、幅（画面に向かって左右方向の寸法）が一定であって、互いに同一であるとして図示されたが、本発明はこれに制限されるものではない。
【００６４】
例えば、第１画素領域ＡＡ１および／または第３画素領域ＡＡ３は、第２画素領域ＡＡ２から遠ざかるほど幅が狭くなる形状を有することができる。
【００６５】
または、第１画素領域ＡＡ１および／または第３画素領域ＡＡ３の幅が、全体として、第２画素領域ＡＡ２の幅より狭いのでもよい。この場合、第１画素領域ＡＡ１および／または第３画素領域ＡＡ３は、垂直方向（画面に向かって上下の方向）または水平方向（画面に向かって左右の方向）に沿って多数個が配置され得る。
【００６６】
基板１１０は、前述した画素領域ＡＡ１、ＡＡ２、ＡＡ３が設定され得る多様な形態で形成され得る。
【００６７】
基板１１０は、ガラス、樹脂（ｒｅｓｉｎ）などのような絶縁性の材料で形成され得る。また、基板１１０は曲げたり折り畳んだりすることができるように可撓性（ｆｌｅｘｉｂｉｌｉｔｙ）を有する材料から形成され得、単層構造または多層構造を有することができる。
【００６８】
図３は本発明の一実施例に係る表示装置の構成を具体的に示す図面である。
【００６９】
図３を参照すると、本発明の一実施例に係る表示装置１０は、画素ＰＸＬ１、ＰＸＬ２、ＰＸＬ３と表示駆動部を含むことができる。
【００７０】
表示駆動部は、第１走査駆動部２１１、第２走査駆動部２１２、第３走査駆動部２１３、データ駆動部２３０、メモリー２４０およびタイミング制御部２５０を含むことができる。
【００７１】
第１画素ＰＸＬ１は、第１走査線Ｓ１１〜Ｓ１ｊおよびデータ線Ｄ１〜Ｄｍによって区画された第１画素領域ＡＡ１に位置することができる。
【００７２】
このような第１画素ＰＸＬ１は、第１走査線Ｓ１１〜Ｓ１ｊから走査信号が供給される時に、データ線Ｄ１〜Ｄｍからデータ信号の供給を受けることができる。
【００７３】
データ信号の供給を受けた第１画素ＰＸＬ１は、第１電源ＥＬＶＤＤから有機発光ダイオード（図示されず）を経由して第２電源ＥＬＶＳＳに流れる電流の量を制御することができる。ここで、前記有機発光ダイオードは、前記電流の量に対応する輝度の光を生成することができる。
【００７４】
第２画素ＰＸＬ２は、第２走査線Ｓ２１〜Ｓ２ｎおよびデータ線Ｄ１〜Ｄｍによって区画された第２画素領域ＡＡ２に位置することができる。
【００７５】
このような第２画素ＰＸＬ２は、第２走査線Ｓ２１〜Ｓ２ｎから走査信号が供給される時に、データ線Ｄ１〜Ｄｍからデータ信号の供給を受けることができる。
【００７６】
データ信号の供給を受けた第２画素ＰＸＬ２は、第１電源ＥＬＶＤＤから有機発光ダイオード（図示されず）を経由して第２電源ＥＬＶＳＳに流れる電流の量を制御することができる。ここで、前記有機発光ダイオードは、前記電流の量に対応する輝度の光を生成することができる。
【００７７】
第３画素ＰＸＬ３は、第３走査線Ｓ３１〜Ｓ３ｋおよびデータ線Ｄ１〜Ｄｍによって区画された第３画素領域ＡＡ３に位置することができる。
【００７８】
このような第３画素ＰＸＬ３は、第３走査線Ｓ３１〜Ｓ３ｋから走査信号が供給される時に、データ線Ｄ１〜Ｄｍからデータ信号の供給を受けることができる。
【００７９】
データ信号の供給を受けた第３画素ＰＸＬ３は第１電源ＥＬＶＤＤから有機発光ダイオード（図示されず）を経由して第２電源ＥＬＶＳＳに流れる電流の量を制御することができる。ここで、前記有機発光ダイオードは、前記電流の量に対応する輝度の光を生成することができる。
【００８０】
例えば、第１画素領域ＡＡ１および第３画素領域ＡＡ３は、第２画素領域ＡＡ２と比べて小さな面積を有することができる。
【００８１】
この場合、第１画素ＰＸＬ１および第３画素ＰＸＬ３の個数は、第２画素ＰＸＬ２より少なく設定され得るのであり、第１走査線Ｓ１１〜Ｓ１ｊおよび第３走査線Ｓ３１〜Ｓ３ｋの個数は、第２走査線Ｓ２１〜Ｓ２ｎより少なく設定され得る。
【００８２】
表示装置１０が第２モードで駆動する場合、第１画素領域ＡＡ１、第２画素領域ＡＡ２および第３画素領域ＡＡ３で有効映像が表示され得る。すなわち、使用者は第１画素領域ＡＡ１、第２画素領域ＡＡ２および第３画素領域ＡＡ３で表示される映像を見ることができる。
【００８３】
表示装置１０が第１モードで駆動する場合、第２画素領域ＡＡ２で有効映像が表示され、第１画素領域ＡＡ１および第３画素領域ＡＡ３はウェアラブル装置３０のフレーム３１によって遮られ得る。
【００８４】
表示装置１０が第１モードで駆動する場合、第１画素領域ＡＡ１および第３画素領域ＡＡ３は使用者に視認されない領域に該当するので、第１画素領域ＡＡ１および第３画素領域ＡＡ３の映像表示動作を中断させるという方式を考慮することができる。
【００８５】
このために、第１画素ＰＸＬ１および第３画素ＰＸＬ３に連結された第１走査線Ｓ１１〜Ｓ１ｊおよび第３走査線Ｓ３１〜Ｓ３ｋに走査信号を供給せず、第１画素ＰＸＬ１および第３画素ＰＸＬ３に別途のデータ信号を供給しなくてもよい。
【００８６】
ただし、このように第２画素ＰＸＬ２が駆動される間、第１画素ＰＸＬ１および第３画素ＰＸＬ３を駆動させない場合、第１画素ＰＸＬ１および第３画素ＰＸＬ３に含まれた駆動トランジスターの特性が、第２画素ＰＸＬ２に含まれた駆動トランジスターの特性と異なり得る。この場合、第１モードから第２モードに進入した際、各画素領域ＡＡ１、ＡＡ２、ＡＡ３に存在する駆動トランジスターの特性の偏差によって、第２画素領域ＡＡ２と第１、３画素領域ＡＡ１、ＡＡ３の間の輝度の偏差が発生する可能性がある。また、第１画素領域ＡＡ１と第２画素領域ＡＡ２との間の境界線、および第２画素領域ＡＡ２と第３画素領域ＡＡ３との間の境界線が、視認される恐れがある。
【００８７】
本発明の実施例によると、第１モードでの駆動時に、第１画素ＰＸＬ１と第３画素ＰＸＬ３に、走査信号とデータ信号（例えば、ダミーデータ信号）を供給することによって、第１画素ＰＸＬ１および第３画素ＰＸＬ３を駆動させることができる。これにより、駆動トランジスターの特性の偏差によって境界線が視認されるという問題を解消することができる。
【００８８】
第１走査駆動部２１１は、タイミング制御部２５０からの第１走査駆動部制御信号ＳＣＳ１に対応して、第１走査線Ｓ１１〜Ｓ１ｊに第１走査信号を供給することができる。
【００８９】
例えば、第１走査駆動部２１１は、第１走査線Ｓ１１〜Ｓ１ｊに、第１走査信号を順次供給することができる。第１走査線Ｓ１１〜Ｓ１ｊに第１走査信号が順次供給されると、第１画素ＰＸＬ１が、水平ライン単位で順次選択され得る。
【００９０】
第２走査駆動部２１２は、タイミング制御部２５０からの第２走査駆動部制御信号ＳＣＳ２に対応して、第２走査線Ｓ２１〜Ｓ２ｎに第２走査信号を供給することができる。
【００９１】
例えば、第２走査駆動部２１２は、第２走査線Ｓ２１〜Ｓ２ｎに、第２走査信号を順次供給することができる。第２走査線Ｓ２１〜Ｓ２ｎに第２走査信号が順次供給されると、第２画素ＰＸＬ２が、水平ライン単位で順次選択され得る。
【００９２】
第３走査駆動部２１３は、タイミング制御部２５０からの第３走査駆動部制御信号ＳＣＳ３に対応して、第３走査線Ｓ３１〜Ｓ１ｋに第３走査信号を供給することができる。
【００９３】
例えば、第３走査駆動部２１３は、第３走査線Ｓ３１〜Ｓ３ｋに、第３走査信号を順次供給することができる。第３走査線Ｓ３１〜Ｓ３ｋに第３走査信号が順次供給されると、第３画素ＰＸＬ３が、水平ライン単位で順次選択され得る。
【００９４】
この際、第１走査信号、第２走査信号、および第３走査信号は、該当トランジスターがターン−オンされ得る電圧に設定され得る。
【００９５】
すなわち、表示装置１０全体として、表示装置１０が第１モードまたは第２モードで駆動される場合、各フレーム期間にて、第１画素ＰＸＬ１、第２画素ＰＸＬ２、および第３画素ＰＸＬ３が、水平ライン単位で順次選択され得る。
【００９６】
本発明の実施例に係る表示駆動部は、メモリー２４０をさらに含むことができる。
【００９７】
本発明の実施例に係るメモリー２４０は、表示装置１０が第１モードで駆動する時、第１画素ＰＸＬ１と第３画素ＰＸＬ３に供給されるダミーデータ信号を保存する機能を遂行することができる。
【００９８】
具体的には、メモリー２４０には、以前（特には直前）のフレームで、第２画素ＰＸＬ２のうち、第１画素領域ＡＡ１に隣接した第２画素（例えば、最初の第２走査線Ｓ２１に連結された第２画素ＰＸＬ２）に供給された、第１データ信号が保存され得る。この際、保存された第１データ信号は、第１モードの現在フレームで、第１画素ＰＸＬ１に供給され得る。
【００９９】
また、メモリー２４０には、以前のフレームで、第２画素ＰＸＬ２のうち、第３画素領域ＡＡ３に隣接した第２画素（例えば、最後の第２走査線Ｓ２ｎに連結された第２画素ＰＸＬ２）に供給された、第２データ信号が保存され得る。この際、保存された第２データ信号は、第１モードの現在フレームで、第３画素ＰＸＬ３に供給され得る。
【０１００】
データ駆動部２３０は、データ制御信号ＤＣＳに対応してデータ線Ｄ１〜Ｄｍにデータ信号を供給することができる。
【０１０１】
データ線Ｄ１〜Ｄｍに供給されたデータ信号は、各走査信号によって選択された画素ＰＸＬ１、ＰＸＬ２、ＰＸＬ３に供給される。
【０１０２】
タイミング制御部２５０は、外部から供給されるタイミング信号に基づいて生成された走査駆動部制御信号ＳＣＳ１、ＳＣＳ２、ＳＣＳ３を、走査駆動部２１１、２１２、２１３に供給することができる。
【０１０３】
タイミング制御部２５０は、データ制御信号ＤＣＳをデータ駆動部２３０に供給することができる。また、タイミング制御部２５０は、外部から入力する映像データを、データ駆動部２３０の仕様に合う映像データＤＡＴＡに変換して、データ駆動部２３０に供給することができる。
【０１０４】
第１走査駆動部制御信号ＳＣＳ１は、第１開始信号およびクロック信号を含むことができる。第１開始信号は、第１走査信号の供給タイミングを制御し、クロック信号は第１開始信号をシフトさせるために使われ得る。
【０１０５】
第２走査駆動部制御信号ＳＣＳ２は、クロック信号を含むことができる。クロック信号は、最後の第１走査線Ｓ１ｊに供給された第１走査信号をシフトさせるために使われ得る。
【０１０６】
第３走査駆動部制御信号ＳＣＳ３は、クロック信号を含むことができる。クロック信号は、最後の第２走査線Ｓ２ｎに供給された第２走査信号をシフトさせるために使われ得る。
【０１０７】
一例として、第１〜第３走査駆動部制御信号ＳＣＳ１〜ＳＣＳ３に含まれたクロック信号は、互いに同じ信号であり得る。
【０１０８】
データ制御信号ＤＣＳには、ソース開始信号、ソース出力イネーブル信号、ソースサンプリングクロックなどが含まれ得る。ソース開始信号は、データ駆動部２３０のデータサンプリング開始時点を制御することができる。ソースサンプリングクロックは、ライジングまたはフォーリングエッジに基づいて、データ駆動部２３０のサンプリング動作を制御することができる。ソース出力イネーブル信号は、データ駆動部２３０の出力タイミングを制御することができる。
【０１０９】
図３では、走査駆動部２１１、２１２、２１３、データ駆動部２３０、メモリー２４０およびタイミング制御部２５０を個別的に図示したが、前記構成要素のうちの少なくとも一部は必要に応じて統合され得る。
【０１１０】
また、走査駆動部２１１、２１２、２１３、データ駆動部２３０、メモリー２４０およびタイミング制御部２５０は、チップオングラス（Ｃｈｉｐ  Ｏｎ  Ｇｌａｓｓ）、チップオンプラスチック（Ｃｈｉｐ  Ｏｎ  Ｐｌａｓｔｉｃ）、テープキャリアパッケージ（Ｔａｐｅ  Ｃａｒｒｉｅｒ  Ｐａｃｋａｇｅ）、チップオンフィルム（Ｃｈｉｐ  Ｏｎ  Ｆｉｌｍ）などの多様な方式によって設置され得る。
【０１１１】
図４は、図３に図示された第１画素についての一実施例を示した図面である。図４では説明の便宜のために、ｊ番目の第１走査線Ｓ１ｊおよび第ｍデータ線Ｄｍと接続された第１画素ＰＸＬ１を図示する。
【０１１２】
図４を参照すると、第１画素ＰＸＬ１は、有機発光ダイオードＯＬＥＤと、第ｍデータ線Ｄｍおよびｊ番目の第１走査線Ｓ１ｊとに接続されて有機発光ダイオードＯＬＥＤを制御するための画素回路ＰＣを含む。
【０１１３】
有機発光ダイオードＯＬＥＤのアノード電極は、画素回路ＰＣに接続され得るのであり、カソード電極は、第２電源ＥＬＶＳＳに接続され得る。
【０１１４】
このような有機発光ダイオードＯＬＥＤは、画素回路ＰＣから供給される電流に対応して、所定輝度の光を生成することができる。
【０１１５】
画素回路ＰＣは、ｊ番目の第１走査線Ｓ１ｊに走査信号が供給される際、第ｍデータ線Ｄｍに供給されるデータ信号を保存することができるのであり、前記保存されたデータ信号に対応して、有機発光ダイオードＯＬＥＤに供給される電流の量を制御することができる。
【０１１６】
例えば、画素回路ＰＣは、第１トランジスターＭ１、第２トランジスターＭ２、およびストレージキャパシタＣｓｔを含むことができる。
【０１１７】
第１トランジスターＭ１は、第ｍデータ線Ｄｍと第２トランジスターＭ２の間に連結され得る。
【０１１８】
例えば、第１トランジスターＭ１は、ゲート電極がｊ番目の第１走査線Ｓ１ｊに接続され、第１電極が第ｍデータ線Ｄｍに接続され、第２電極が第２トランジスターＭ２のゲート電極に接続されるというのであり得る。
【０１１９】
第１トランジスターＭ１は、ｊ番目の第１走査線Ｓ１ｊから走査信号が供給される際にターン−オンされ、第ｍデータ線Ｄｍからのデータ信号をストレージキャパシタＣｓｔに供給することができる。
【０１２０】
この際、ストレージキャパシタＣｓｔは、データ信号に対応する電圧を充電することができる。
【０１２１】
第２トランジスターＭ２は、第１電源ＥＬＶＤＤと有機発光ダイオードＯＬＥＤの間に連結され得る。
【０１２２】
例えば、第２トランジスターＭ２は、ゲート電極がストレージキャパシタＣｓｔの第１電極、および第１トランジスターＭ１の第２電極に連結され、第１電極がストレージキャパシタＣｓｔの第２電極および第１電源ＥＬＶＤＤに連結され、第２電極が有機発光ダイオードＯＬＥＤのアノード電極に連結されるのであり得る。
【０１２３】
このような第２トランジスターＭ２は、駆動トランジスターであって、ストレージキャパシタＣｓｔに保存された電圧値に対応して、第１電源ＥＬＶＤＤから有機発光ダイオードＯＬＥＤを経由して第２電源ＥＬＶＳＳに流れる電流の量を制御することができる。
【０１２４】
この時、有機発光ダイオードＯＬＥＤは、第２トランジスターＭ２から供給される電流量に対応する光を生成することができる。
【０１２５】
ここで、トランジスターＭ１、Ｍ２の第１電極は、ソース電極およびドレーン電極のうちのいずれか一つに設定され、トランジスターＭ１、Ｍ２の第２電極は第１電極と異なる電極に設定されるのであり得る。例えば、第１電極がソース電極に設定されると第２電極はドレーン電極に設定され得る。
【０１２６】
また、図４では、例示的にトランジスターＭ１、Ｍ２がＰＭＯＳトランジスターであると図示したが、他の実施例では、トランジスターＭ１、Ｍ２がＮＭＯＳトランジスターで具現され得る。
【０１２７】
一方、図４に図示された画素の構造は本発明の一実施例に過ぎないため、本発明の第１画素ＰＸＬ１は、前記画素の構造に限定されはしない。実際、第１画素ＰＸＬ１は、有機発光ダイオードＯＬＥＤに電流を供給できる回路構造として、現在公知されている多様な構造のうちのいずれか一つに選択され得る。
【０１２８】
第１電源ＥＬＶＤＤは高電位電源であり得、第２電源ＥＬＶＳＳは低電位電源であり得る。
【０１２９】
例えば、第１電源ＥＬＶＤＤは正電圧に設定され、第２電源ＥＬＶＳＳは負電圧またはグラウンド電圧に設定され得る。
【０１３０】
一方、第２画素ＰＸＬ２および第３画素ＰＸＬ３は、第１画素ＰＸＬ１と同じ構造の回路で具現され得る。したがって、第２画素ＰＸＬ２および第３画素ＰＸＬ３に対する詳しい説明は省略する。
【０１３１】
図５は、図３に図示された走査駆動部をより詳しく示した図面である。
【０１３２】
図５を参照すると、第１走査駆動部２１１は多数の第１走査ステージ回路ＳＳＴ１１〜ＳＳＴ１ｊを含むことができる。
【０１３３】
第１走査ステージ回路ＳＳＴ１１〜ＳＳＴ１ｊは、それぞれ第１走査線Ｓ１１〜Ｓ１ｊの一端に連結され、これを通じて第１走査線Ｓ１１〜Ｓ１ｊに、第１走査信号Ｇ１１〜Ｇ１ｊを供給することができる。
【０１３４】
ここで、第１走査ステージ回路ＳＳＴ１１〜ＳＳＴ１ｊは、タイミング制御部２５０から供給されるクロック信号ＣＬＫ１、ＣＬＫ２に対応して動作することができる。また、第１走査ステージ回路ＳＳＴ１１〜ＳＳＴ１ｊは、いずれも同じ構造の回路で具現され得る。
【０１３５】
第１走査ステージ回路ＳＳＴ１１〜ＳＳＴ１ｊは、以前の走査ステージ回路の出力信号（すなわち、走査信号。特には直前の走査ステージ回路の出力信号）または第１開始信号ＦＬＭ１の供給を受けることができる。
【０１３６】
例えば、一番目の第１走査ステージ回路ＳＳＴ１１は、第１開始信号ＦＬＭ１の供給を受け、残りの第１走査ステージ回路ＳＳＴ１２〜ＳＳＴ１ｊは以前の走査ステージ回路の出力信号の供給を受けることができる。
【０１３７】
第２走査ステージ回路ＳＳＴ２１〜ＳＳＴ２ｎは、それぞれ第２走査線Ｓ２１〜Ｓ２ｎの一端に連結され、これを通じて第２走査線Ｓ２１〜Ｓ２ｎに第２走査信号Ｇ２１〜Ｇ２ｎを供給することができる。
【０１３８】
この時、第２走査ステージ回路ＳＳＴ２１〜ＳＳＴ２ｎはタイミング制御部２５０から供給されるクロック信号ＣＬＫ１、ＣＬＫ２に対応して動作することができる。また、第２走査ステージ回路ＳＳＴ２１〜ＳＳＴ２ｎは、いずれも同じ構造の回路で具現され得る。
【０１３９】
第２走査ステージ回路ＳＳＴ２１〜ＳＳＴ２ｎは以前の走査ステージ回路の出力信号の供給を受けることができる。
【０１４０】
例えば、一番目の第２走査ステージ回路ＳＳＴ２１は、第１走査駆動部２１１の最後の第１走査ステージ回路ＳＳＴ１ｊから出力する信号Ｇ１ｊを開始信号として使うことができ、残りの第２走査ステージ回路ＳＳＴ２２〜ＳＳＴ２ｎは、以前の走査ステージ回路の出力信号の供給を受けることができる。
【０１４１】
また、第２走査駆動部２１２の最後の走査ステージ回路ＳＳＴ２ｎは、第３走査駆動部２１３の一番目の走査ステージ回路ＳＳＴ３１に、出力信号を供給することができる。
【０１４２】
第３走査ステージ回路ＳＳＴ３１〜ＳＳＴ３ｋは、それぞれ第３走査線Ｓ３１〜Ｓ３ｋの一端に連結され、これを通じて第３走査線Ｓ３１〜Ｓ３ｋに第３走査信号Ｇ３１〜Ｇ３ｋを供給することができる。
【０１４３】
ここで、第３走査ステージ回路ＳＳＴ３１〜ＳＳＴ３ｋは、タイミング制御部２５０から供給されるクロック信号ＣＬＫ１、ＣＬＫ２に対応して動作することができる。また、第３走査ステージ回路ＳＳＴ３１〜ＳＳＴ３ｋは、いずれも同じ構造の回路で具現され得る。
【０１４４】
第３走査ステージ回路ＳＳＴ３１〜ＳＳＴ３ｋは、以前の走査ステージ回路の出力信号の供給を受けることができる。
【０１４５】
例えば、一番目の第３走査ステージ回路ＳＳＴ３１は、第２走査駆動部２１２の最後の第２走査ステージ回路ＳＳＴ２ｎから出力する信号Ｇ２ｎを開始信号として使うことができ、残りの第３走査ステージ回路ＳＳＴ３２〜ＳＳＴ３ｋは、以前の走査ステージ回路の出力信号の供給を受けることができる。
【０１４６】
一方、走査信号Ｇ１１〜Ｇ１ｊ、Ｇ２１〜Ｇ２ｎ、Ｇ３１〜Ｇ３ｋにそれぞれ含まれるパルスの数は、第１開始信号ＦＬＭ１の幅に対応して決定され得る。換言すれば、第１開始信号ＦＬＭ１の幅が広くなるほど、走査信号Ｇ１１〜Ｇ１ｊ、Ｇ２１〜Ｇ２ｎ、Ｇ３１〜Ｇ３ｋは、それぞれ、より多くの数のパルスを含むことができる。第１開始信号ＦＬＭ１の幅は駆動方法に対応して多様に設定され得る。
【０１４７】
図６ａおよび図６ｂは、本発明の一実施例に係る表示装置の駆動方法を説明するための波形図、すなわち、各信号パルスのタイミングを示すチャートである。特に、図６ａは、第２モードでの一つのフレーム期間ＰＦを図示し、図６ｂは、第１モードでの一つのフレーム期間ＰＦ’を図示した。
【０１４８】
図６ａを参照すると、第２モードの一つのフレーム期間ＰＦは、第１走査信号Ｇ１１〜Ｇ１ｊが供給される第１期間Ｐ１、第２走査信号Ｇ２１〜Ｇ２ｎが供給される第２期間Ｐ２、および、第３走査信号Ｇ３１〜Ｇ３ｋが供給される第３期間Ｐ３を含むことができる。
【０１４９】
第１開始信号ＦＬＭ１の供給に対応して第１走査駆動部２１１は第１走査信号Ｇ１１〜Ｇ１ｊの供給を開始し、順次、第２走査駆動部２１２および第３走査駆動部２１３は、第２走査信号Ｇ２１〜Ｇ２ｎおよび第３走査信号Ｇ３１〜Ｇ３ｋの供給を開始することができる。
【０１５０】
例えば、第１走査駆動部２１１は第１期間Ｐ１の間に第１走査信号Ｇ１１〜Ｇ１ｊを順次供給することができ、第２走査駆動部２１２は第２期間Ｐ２の間に第２走査信号Ｇ２１〜Ｇ２ｎを順次供給することができ、第３走査駆動部２１３は第３期間Ｐ３の間に第３走査信号Ｇ３１〜Ｇ３ｋを順次供給することができる。
【０１５１】
この時、第１走査信号Ｇ１１〜Ｇ１ｊはそれぞれ第１パルス幅Ｗ１を有することができ、第２走査信号Ｇ２１〜Ｇ２ｎはそれぞれ第２パルス幅Ｗ２を有することができ、第３走査信号Ｇ３１〜Ｇ３ｋはそれぞれ第３パルス幅Ｗ３を有することができる。
【０１５２】
また、第１期間Ｐ１は多数の第１水平期間Ｈ１を含み、第２期間Ｐ２は多数の第２水平期間Ｈ２を含み、第３期間Ｐ３は多数の第３水平期間Ｈ３を含むというのでありうる。
【０１５３】
第２モードは正常モード（Ｎｏｒｍａｌ  Ｍｏｄｅ）に該当するので、第１パルス幅Ｗ１、第２パルス幅Ｗ２および第３パルス幅Ｗ３が同一に設定され、第１水平期間Ｈ１、第２水平期間Ｈ２、および第３水平期間Ｈ３の幅が同一に設定され得る。
【０１５４】
第１パルス幅Ｗ１、第２パルス幅Ｗ２および第３パルス幅Ｗ３を同一に設定するために、各期間Ｐ１、Ｐ２、Ｐ３で供給されるクロック信号ＣＬＫ１、ＣＬＫ２の幅は一定に設定され得る。
【０１５５】
第１モードはＶＲモード（ＶＲ  Ｍｏｄｅ）に該当するので、第２モードと比べて高いフレーム周波数で映像を表示することができる。
【０１５６】
フレーム周波数が高くなる場合、走査信号のパルス幅が減少するようになり、これはデータ信号の充電率（画素電極へのデータパルスの書き込みの達成率）に影響を与えて表示品質を低下させる恐れがある。すなわち、第２走査信号Ｇ２１〜Ｇ２ｎのパルス幅Ｗ２が減少することによって、第１モードで第２画素領域ＡＡ２に表示される有効映像も品質が低下する恐れがある。
【０１５７】
したがって、本発明の実施例では、第１モードで有効映像が表示される第２画素領域ＡＡ２と関連した第２走査信号Ｇ２１〜Ｇ２ｎのパルス幅Ｗ２を増加させることによって、表示品質を向上させることができる。
【０１５８】
このために、図６ｂに図示された通り、第１モードでは第１走査信号Ｇ１１〜Ｇ１ｊの第１パルス幅Ｗ１’が第２走査信号Ｇ２１〜Ｇ２ｎの第２パルス幅Ｗ２’と異なるように設定され得る。
【０１５９】
また、第１モードでは第３走査信号Ｇ３１〜Ｇ３ｋの第３パルス幅Ｗ３’が第２走査信号Ｇ２１〜Ｇ２ｎの第２パルス幅Ｗ２’と異なるように設定され得る。
【０１６０】
例えば、第１パルス幅Ｗ１’が第２パルス幅Ｗ２’より小さく設定され得、第３パルス幅Ｗ３’が第２パルス幅Ｗ２’より小さく設定され得る。
【０１６１】
また、第１パルス幅Ｗ１’と第３パルス幅Ｗ３’が減少することによって、第１期間Ｐ１’および第３期間Ｐ３’も減少され得るのであり、これにより、第２期間Ｐ２’は第１期間Ｐ１’および第３期間Ｐ３’が減少した分だけ増加し得るので、第２パルス幅Ｗ２’も従来に比べて増加し得る。
【０１６２】
つまり、第２走査信号Ｇ２１〜Ｇ２ｎの第２パルス幅Ｗ２’が増加され得るのであり、これにより、第２画素領域ＡＡ２の表示品質を向上させることができる。
【０１６３】
前述した通り、第１パルス幅Ｗ１’、第２パルス幅Ｗ２’、および第３パルス幅Ｗ３’を設定するために、各期間Ｐ１、Ｐ２、Ｐ３で供給されるクロック信号ＣＬＫ１、ＣＬＫ２の幅は変更され得る。
【０１６４】
例えば、第１期間Ｐ１でクロック信号ＣＬＫ１、ＣＬＫ２の幅は第１パルス幅Ｗ１’と同一に設定され、第２期間Ｐ２でクロック信号ＣＬＫ１、ＣＬＫ２の幅は第２パルス幅Ｗ２’と同一に設定され、第３期間Ｐ３でクロック信号ＣＬＫ１、ＣＬＫ２の幅は第３パルス幅Ｗ３’と同一に設定され得る。
【０１６５】
また、第１期間Ｐ１’および第３期間Ｐ３’が減少することによって第１水平期間Ｈ１’および第３水平期間Ｈ３’の幅も減少し得、第２期間Ｐ２’が増加することによって第２水平期間Ｈ２’の幅は増加し得る。
【０１６６】
これにより、第１水平期間Ｈ１’および第３水平期間Ｈ３’の幅は、第２水平期間Ｈ２’より小さく設定され得る。
【０１６７】
前述した第１水平期間Ｈ１、Ｈ１’、第２水平期間Ｈ２、Ｈ２’、および第３水平期間Ｈ３、Ｈ３’の幅は、タイミング制御部２５０によって制御され得る。
【０１６８】
また、第１パルス幅Ｗ１’と第３パルス幅Ｗ３’は、互いに同一であるか異なるように設定され得るのであり、第１水平期間Ｈ１’の幅と第３水平期間Ｈ３’の幅は互いに同一であるか異なるように設定され得る。
【０１６９】
図７ａおよび図７ｂは、本発明の他の実施例に係る表示装置の駆動方法を説明するための、図６ａおよび図６ｂと同様の波形図である。特に、図７ａは第２モードでの一つのフレーム期間ＰＦを図示し、図７ｂは第１モードでの一つのフレーム期間ＰＦ’を図示した。また、図６ａおよび図６ｂでは、各走査信号Ｇ１１〜Ｇ１ｊ、Ｇ２１〜Ｇ２ｎ、Ｇ３１〜Ｇ３ｋが一つのパルスだけを含む場合を図示したのであるが、図７ａおよび７ｂでは、各走査信号Ｇ１１〜Ｇ１ｊ、Ｇ２１〜Ｇ２ｎ、Ｇ３１〜Ｇ３ｋが多数のパルスを含む場合を図示した。
【０１７０】
ここでは前述した実施例と比較して変更された部分を中心に説明を進め、前述した実施例と重複する部分に対しては説明を省略する。
【０１７１】
図７ａを参照すると、第２モードでは第１走査信号Ｇ１１〜Ｇ１ｊの第１パルス幅Ｗ１、第２走査信号Ｇ２１〜Ｇ２ｎの第２パルス幅Ｗ２、および第３走査信号Ｇ３１〜Ｇ３ｋの第３パルス幅Ｗ３が同一に設定され得る。
【０１７２】
また、第２モードでは第１期間Ｐ１の第１水平期間Ｈ１、第２期間Ｐ２の第２水平期間Ｈ２、および第３期間Ｐ３の第３水平期間Ｈ３が同一に設定され得る。
【０１７３】
図７ｂを参照すると、第１モードでは第１走査信号Ｇ１１〜Ｇ１ｊの第１パルス幅Ｗ１’が第２走査信号Ｇ２１〜Ｇ２ｎの第２パルス幅Ｗ２’と異なるように設定され得る。
【０１７４】
また、第１モードでは第３走査信号Ｇ３１〜Ｇ３ｋの第３パルス幅Ｗ３’が第２走査信号Ｇ２１〜Ｇ２ｎの第２パルス幅Ｗ２’と異なるように設定され得る。
【０１７５】
例えば、第１パルス幅Ｗ１’が第２パルス幅Ｗ２’より小さく設定され得るのであり、第３パルス幅Ｗ３’が第２パルス幅Ｗ２’より小さく設定され得る。
【０１７６】
ただし、走査信号Ｇ１１〜Ｇ１ｊ、Ｇ２１〜Ｇ２ｎ、Ｇ３１〜Ｇ３ｋが多数のパルスを含むことに伴い、一部の走査信号に含まれたパルスは、互いに異なる幅に設定され得る。
【０１７７】
例えば、一番目の第２走査信号Ｇ２１の場合、３個のパルスのうち、先に位置した２個のパルスは第１パルス幅Ｗ１’に設定され、後に位置した１個のパルスは第２パルス幅Ｗ２’に設定されるのであり得る。これと同様に、２番目の第２走査信号Ｇ２２に含まれたパルスも互いに異なる幅に設定され得る。
【０１７８】
また、一番目の第３走査信号Ｇ３１の場合、３個のパルスのうち先に位置した２個のパルスは第２パルス幅Ｗ２’に設定され、後に位置した１個のパルスは第３パルス幅Ｗ３’に設定され得る。これと同様に、２番目の第３走査信号Ｇ３２に含まれたパルスも互いに異なる幅に設定され得る。
【０１７９】
図７ａおよび７ｂでは、各走査信号Ｇ１１〜Ｇ１ｊ、Ｇ２１〜Ｇ２ｎ、Ｇ３１〜Ｇ３ｋが３個のパルスを含む場合を例示的に図示したが、これに制限されず、各走査信号Ｇ１１〜Ｇ１ｊ、Ｇ２１〜Ｇ２ｎ、Ｇ３１〜Ｇ３ｋに含まれるパルスの数は多様に変更され得る。
【０１８０】
図８は本発明の一実施例に係る第１モードでの第１画素領域および第３画素領域の映像表示動作を説明するための図面である。
【０１８１】
図８を参照すると、第１モードで、第１画素領域ＡＡ１の各水平ラインは、互いに同じ映像を表示することができる。
【０１８２】
ここで、それぞれの水平ラインは一つの行の第１画素ＰＸＬ１を含むことができ、第１画素ＰＸＬ１で構成される各画素の行は、すべて、同じデータ信号の供給を受けることができる。
【０１８３】
例えば、データ駆動部２３０は、メモリー２４０に保存されたダミーデータ信号を、第１走査信号Ｇ１１〜Ｇ１ｊに同期化して第１画素ＰＸＬ１に供給することができる。
【０１８４】
ここで、第１画素領域ＡＡ１と第２画素領域ＡＡ２との間の境界が使用者に視認されることを最小化するために、現在フレーム（Ｎｔｈ  Ｆｒａｍｅ）の間に、第１画素領域ＡＡ１の各水平ラインは、直前フレーム（（Ｎ−１）ｔｈ  Ｆｒａｍｅ）の間に第２画素領域ＡＡ２の一番目の水平ラインに表示された映像と、同じ映像を表示することができる。
【０１８５】
このために、メモリー２４０には、直前フレーム（（Ｎ−１）ｔｈ  Ｆｒａｍｅ）にて第２画素ＰＸＬ２のうちの第１画素領域ＡＡ１に隣接した第２画素（例えば、最初の第２走査線Ｓ２１に連結された第２画素ＰＸＬ２）に供給された第１データ信号ＤＳ１が、保存され得る。ここで、保存された第１データ信号ＤＳ１は、第１ダミーデータ信号ＤＤ１として、現在フレーム（Ｎｔｈ  Ｆｒａｍｅ）にて、第１画素ＰＸＬ１で構成される各画素の行に供給され得る。
【０１８６】
一方、第１モードで、第３画素領域ＡＡ３の各水平ラインは、互いに同じ映像を表示することができる。
【０１８７】
ここで、それぞれの水平ラインは一つの行の第３画素ＰＸＬ３を含むことができ、第３画素ＰＸＬ３で構成される各画素の行は、すべて、同じデータ信号の供給を受けることができる。
【０１８８】
例えば、データ駆動部２３０は、メモリー２４０に保存されたダミーデータ信号を、第３走査信号Ｇ３１〜Ｇ３ｋに同期化して第３画素ＰＸＬ３に供給することができる。
【０１８９】
ここで、第２画素領域ＡＡ２と第３画素領域ＡＡ３の間の境界が使用者に視認されることを最小化するために、現在フレーム（Ｎｔｈ  Ｆｒａｍｅ）の間に、第３画素領域ＡＡ３の各水平ラインは、直前フレーム（（Ｎ−１）ｔｈ  Ｆｒａｍｅ）の間に第２画素領域ＡＡ２の最後の水平ラインに表示された映像と、同じ映像を表示することができる。
【０１９０】
このために、メモリー２４０には、直前フレーム（（Ｎ−１）ｔｈ  Ｆｒａｍｅ）にて第２画素ＰＸＬ２のうちの第３画素領域ＡＡ３に隣接した第２画素（例えば、最後の第２走査線Ｓ２ｎに連結された第２画素ＰＸＬ２）に供給された第２データ信号ＤＳ２が、保存され得る。ここで、保存された第２データ信号ＤＳ２は、第２ダミーデータ信号ＤＤ２として、現在フレーム（Ｎｔｈ  Ｆｒａｍｅ）にて、第３画素ＰＸＬ３で構成される各画素の行に供給され得る。
【０１９１】
図９は、本発明の他の実施例に係る表示装置の構成を具体的に示す図面である。ここでは、前述した実施例と比較して変更された部分を中心に説明を進め、前述した実施例と重複する部分に対しては説明を省略する。
【０１９２】
図９を参照すると、本発明の他の実施例に係る表示装置１０’は、走査信号の遅延を防止するために、複数の第１走査駆動部２１１、２１１’、複数の第２走査駆動部２１２、２１２’、および複数の第３走査駆動部２１３、２１３’を含むことができる。
【０１９３】
特には、左右の第１走査駆動部２１１、２１１’が、第１走査線Ｓ１１〜Ｓ１ｊの両端に、それぞれ連結され得る。
【０１９４】
第１走査駆動部２１１、２１１’は、同じ走査駆動部制御信号ＳＣＳ１に対応して、第１走査線Ｓ１１〜Ｓ１ｊに第１走査信号を供給することができる。
【０１９５】
これにより、左右の第１走査駆動部２１１、２１１’は、同じ走査線に対して、同時に第１走査信号を供給することができる。
【０１９６】
また、第１走査駆動部２１１、２１１’は、互いに同じ回路構造を有することができる。
【０１９７】
上記と同様に、左右の第２走査駆動部２１２、２１２’が、第２走査線Ｓ２１〜Ｓ２ｎの両端にそれぞれ連結され得る。
【０１９８】
左右の第２走査駆動部２１２、２１２’は、同じ走査駆動部制御信号ＳＣＳ２に対応して第２走査線Ｓ２１〜Ｓ２ｎに第２走査信号を供給することができる。
【０１９９】
これにより、左右の第２走査駆動部２１２、２１２’は、同じ走査線に対して同時に第２走査信号を供給することができる。
【０２００】
また、第２走査駆動部２１２、２１２’は互いに同じ回路構造を有することができる。
【０２０１】
上記と同様に、左右の第３走査駆動部２１３、２１３’が、第３走査線Ｓ３１〜Ｓ３ｋの両端にそれぞれ連結され得る。
【０２０２】
左右の第３走査駆動部２１３、２１３’は、同じ走査駆動部制御信号ＳＣＳ３に対応して第３走査線Ｓ３１〜Ｓ３ｋに第３走査信号を供給することができる。
【０２０３】
これにより、左右の第３走査駆動部２１３、２１３’は、同じ走査線に対して同時に第３走査信号を供給することができる。
【０２０４】
また、第３走査駆動部２１３、２１３’は、互いに同じ回路構造を有することができる。
【０２０５】
図１０は、本発明のさらに他の実施例に係る表示装置の構成を具体的に示す図面である。ここでは前述した実施例と比較して変更された部分を中心に説明を進め、前述した実施例と重複する部分に対しては説明を省略する。
【０２０６】
図１０を参照すると、本発明の一実施例に係る表示装置１０”は画素ＰＸＬ１’、ＰＸＬ２’、ＰＸＬ３’と表示駆動部を含むことができる。
【０２０７】
表示駆動部は、第１走査駆動部２１１、第２走査駆動部２１２、第３走査駆動部２１３、第１発光駆動部３１１、第２発光駆動部３１２、第３発光駆動部３１３、データ駆動部２３０、メモリー２４０およびタイミング制御部２５０を含むことができる。
【０２０８】
第１画素ＰＸＬ１’は、第１走査線Ｓ１１〜Ｓ１ｊ、第１発光制御線Ｅ１１〜Ｅ１ｊおよびデータ線Ｄ１〜Ｄｍによって区画された、第１画素領域ＡＡ１に位置することができる。
【０２０９】
第２画素ＰＸＬ２’は、第２走査線Ｓ２１〜Ｓ２ｎ、第２発光制御線Ｅ２１〜Ｅ２ｎおよびデータ線Ｄ１〜Ｄｍによって区画された、第２画素領域ＡＡ２に位置することができる。
【０２１０】
第３画素ＰＸＬ３’は、第３走査線Ｓ３１〜Ｓ３ｋ、第３発光制御線Ｅ３１〜Ｅ３ｋおよびデータ線Ｄ１〜Ｄｍによって区画された、第３画素領域ＡＡ３に位置することができる。
【０２１１】
第１発光駆動部３１１は、タイミング制御部２５０からの第１発光駆動部制御信号ＥＣＳ１に対応して、第１発光制御線Ｅ１１〜Ｅ１ｊに第１発光制御信号を供給することができる。
【０２１２】
例えば、第１発光駆動部３１１は、第１発光制御線Ｅ１１〜Ｅ１ｊに第１発光制御信号を順次供給することができる。
【０２１３】
第２発光駆動部３１２は、タイミング制御部２５０からの第２発光駆動部制御信号ＥＣＳ２に対応して第２発光制御線Ｅ２１〜Ｅ２ｎに第２発光制御信号を供給することができる。
【０２１４】
例えば、第２発光駆動部３１２は、第２発光制御線Ｅ２１〜Ｅ２ｎに第２発光制御信号を順次供給することができる。
【０２１５】
第３発光駆動部３１３は、タイミング制御部２５０からの第３発光駆動部制御信号（ＥＣＳ３）に対応して、第３発光制御線Ｅ３１〜Ｅ３ｋに第３発光制御信号を供給することができる。
【０２１６】
例えば、第３発光駆動部３１３は、第３発光制御線Ｅ３１〜Ｅ３ｋに第３発光制御信号を順次供給することができる。
【０２１７】
一方、発光制御信号は、画素ＰＸＬ１’、ＰＸＬ２’、ＰＸＬ３’に含まれるトランジスターがターン−オフされ得るように、ゲートオフ電圧（例えば、ハイ電圧）に設定され得るのであり、走査信号は、画素ＰＸＬ１’、ＰＸＬ２’、ＰＸＬ３’に含まれるトランジスターがターン−オンされ得るように、ゲートオン電圧（例えば、ロー電圧）に設定され得る。
【０２１８】
図１１ａおよび図１１ｂは、図１０に図示された第１画素の一実施例およびその駆動方法を示した図面である。
【０２１９】
図１１ａでは、説明の便宜のためにｍ番目のデータ線Ｄｍおよびｉ番目の第１走査線Ｓ１ｉに接続された第１画素ＰＸＬ１’を図示する。
【０２２０】
図１１ａを参照すると、本発明の実施例に係る第１画素ＰＸＬ１’は、有機発光ダイオードＯＬＥＤ、第１トランジスターＴ１〜第７トランジスターＴ７およびストレージキャパシタＣｓｔを含むことができる。
【０２２１】
有機発光ダイオードＯＬＥＤのアノードは、第６トランジスターＴ６を経由して第１トランジスターＴ１に接続され、カソードは第２画素電源ＥＬＶＳＳに接続されるのであり得る。このような有機発光ダイオードＯＬＥＤは、第１トランジスターＴ１から供給される電流量に対応して、所定輝度の光を生成することができる。
【０２２２】
有機発光ダイオードＯＬＥＤに電流が流れ得るように、第１画素電源ＥＬＶＤＤは、第２画素電源ＥＬＶＳＳより高い電圧に設定され得る。
【０２２３】
第７トランジスターＴ７は、初期化電源Ｖｉｎｔと、有機発光ダイオードＯＬＥＤのアノードとの間に接続され得る。そして、第７トランジスターＴ７のゲート電極は、ｉ＋１番目の第１走査線Ｓ１ｉ＋１に接続され得る。このような第７トランジスターＴ７は、ｉ＋１番目の第１走査線Ｓ１ｉ＋１に走査信号が供給される時にターン−オンされて、初期化電源Ｖｉｎｔの電圧を、有機発光ダイオードＯＬＥＤのアノードに供給することができる。ここで、初期化電源Ｖｉｎｔは、データ信号より低い電圧に設定され得る。
【０２２４】
第６トランジスターＴ６は、第１トランジスターＴ１と有機発光ダイオードＯＬＥＤの間に接続され得る。そして、第６トランジスターＴ６ゲート電極は、ｉ番目の第１発光制御線Ｅ１ｉに接続され得る。このような第６トランジスターＴ６は、ｉ番目の第１発光制御線Ｅ１ｉに発光制御信号が供給される時に、ターン−オフされ、それ以外の場合にターン−オンされるのであり得る。
【０２２５】
第５トランジスターＴ５は、第１画素電源ＥＬＶＤＤと第１トランジスターＴ１の間に接続され得る。そして、第５トランジスターＴ５のゲート電極は、ｉ番目の第１発光制御線Ｅ１ｉに接続され得る。このような第５トランジスターＴ５は、ｉ番目の第１発光制御線Ｅ１ｉに発光制御信号が供給される時にターン−オフされ、それ以外の場合にターン−オンされるのであり得る。
【０２２６】
第１トランジスター（Ｔ１；駆動トランジスター）は、第１電極が、第５トランジスターＴ５を経由して第１画素電源ＥＬＶＤＤに接続され、第２電極が、第６トランジスターＴ６を経由して有機発光ダイオードＯＬＥＤのアノードに接続されるのであり得る。そして、第１トランジスターＴ１のゲート電極は、第１０ノードＮ１０に接続され得る。このような第１トランジスターＴ１は、第１０ノードＮ１０の電圧に対応して、第１画素電源ＥＬＶＤＤから有機発光ダイオードＯＬＥＤを経由して第２画素電源ＥＬＶＳＳに流れる電流量を制御することができる。
【０２２７】
第３トランジスターＴ３は、第１トランジスターＴ１の第２電極と第１０ノードＮ１０の間に接続され得る。そして、第３トランジスターＴ３のゲート電極は、ｉ番目の第１走査線Ｓ１ｉに接続され得る。このような第３トランジスターＴ３は、ｉ番目の第１走査線Ｓ１ｉに走査信号が供給される時にターン−オンされて、第１トランジスターＴ１の第２電極と第１０ノードＮ１０を電気的に接続させることができる。したがって、第３トランジスターＴ３がターン−オンされる時、第１トランジスターＴ１は、ダイオード接続され得る。
【０２２８】
第４トランジスターＴ４は、第１０ノードＮ１０と初期化電源Ｖｉｎｔの間に接続され得る。そして、第４トランジスターＴ４のゲート電極は、ｉ−１番目の第１走査線Ｓ１ｉ−１に接続され得る。このような第４トランジスターＴ４は、ｉ−１番目の第１走査線Ｓ１ｉ−１に走査信号が供給される時にターン−オンされて、第１０ノードＮ１０に初期化電源Ｖｉｎｔの電圧を供給することができる。
【０２２９】
第２トランジスターＴ２は、ｍ番目のデータ線Ｄｍと第１トランジスターＴ１の第１電極の間に接続され得る。そして、第２トランジスターＴ２のゲート電極は、ｉ番目の第１走査線Ｓ１ｉに接続され得る。このような第２トランジスターＴ２は、ｉ番目の第１走査線Ｓ１ｉに走査信号が供給される時にターン−オンされて、ｍ番目のデータ線Ｄｍと第１トランジスターＴ１の第１電極を電気的に接続させることができる。
【０２３０】
ストレージキャパシタＣｓｔは、第１画素電源ＥＬＶＤＤと第１０ノードＮ１０の間に接続され得る。このようなストレージキャパシタＣｓｔは、データ信号および第１トランジスターＴ１の敷居電圧に対応する電圧を貯蔵することができる。
【０２３１】
一方、第２画素ＰＸＬ２’および第３画素ＰＸＬ３’は、第１画素ＰＸＬ１’と同じ回路で具現され得る。したがって、第２画素ＰＸＬ２’および第３画素ＰＸＬ３’に対する詳細な説明は省略する。
【０２３２】
また、図１１ａで説明された画素の構造は、走査線と発光制御線を利用する一例に過ぎないため、本発明の画素ＰＸＬ１’、ＰＸＬ２’、ＰＸＬ３’は、前記画素の構造に限定されるものではない。実際、画素は有機発光ダイオードＯＬＥＤに電流を供給できる回路構造を有し、現在公知されている多様な構造のうちのいずれか一つに選択され得る。
【０２３３】
本発明において、有機発光ダイオードＯＬＥＤは、駆動トランジスターから供給される電流量に対応して赤色、緑色および青色を含む多様な光を生成できるが、これに限定されはしない。一例として、有機発光ダイオードＯＬＥＤは駆動トランジスターから供給される電流量に対応して白色光を生成することもできる。この場合、別途のカラーフィルターなどを利用してカラー映像を具現することができる。
【０２３４】
図１１ｂを参照すると、まずｉ番目の第１発光制御線Ｅ１ｉに発光制御信号Ｆ１ｉが供給される。ｉ番目の第１発光制御線Ｅ１ｉに発光制御信号Ｆ１ｉが供給されると、第５トランジスターＴ５および第６トランジスターＴ６がターン−オフされる。この時、第１画素ＰＸＬ１’は非発光状態に設定され得る。
【０２３５】
以後、ｉ−１番目の第１走査線Ｓ１ｉ−１に走査信号Ｇ１ｉ−１が供給されて、第４トランジスターＴ４がターン−オンされる。第４トランジスターＴ４がターン−オンされると、初期化電源Ｖｉｎｔの電圧が、第１０ノードＮ１０に供給される。そうすると、第１０ノードＮ１０は、初期化電源Ｖｉｎｔの電圧に初期化され得る。
【０２３６】
第１０ノードＮ１０が初期化電源Ｖｉｎｔの電圧に初期化された後、ｉ番目の第１走査線Ｓ１ｉに走査信号Ｇ１ｉが供給される。ｉ番目の第１走査線Ｓ１ｉに走査信号Ｇ１ｉが供給されると、第２トランジスターＴ２および第３トランジスターＴ３がターン−オンされる。
【０２３７】
第３トランジスターＴ３がターン−オンされると、第１トランジスターＴ１がダイオードの形態で連結される。
【０２３８】
第２トランジスターＴ２がターン−オンされると、ｍ番目のデータ線Ｄｍからのデータ信号が第１トランジスターＴ１の第１電極に供給される。この時、第１０ノードＮ１０がデータ信号より低い初期化電源Ｖｉｎｔの電圧に初期化されたため、第１トランジスターＴ１がターン−オンされ得る。第１トランジスターＴ１がターン−オンされると、データ信号から第１トランジスターＴ１の敷居電圧を引いた電圧が、第１０ノードＮ１０に印加される。ストレージキャパシタＣｓｔは、第１０ノードＮ１０に印加されたデータ信号、および第１トランジスターＴ１の敷居電圧に対応する電圧を貯蔵する。
【０２３９】
以後、ｉ＋１番目の第１走査線Ｓ１ｉ＋１に走査信号Ｇ１ｉ＋１が供給される。ｉ＋１番目の第１走査線Ｓ１ｉ＋１に走査信号Ｇ１ｉ＋１が供給されると、第７トランジスターＴ７がターン−オンされる。
【０２４０】
第７トランジスターＴ７がターン−オンされると、初期化電源Ｖｉｎｔの電圧が有機発光ダイオードＯＬＥＤのアノード電極に供給される。そうすると、有機発光ダイオードＯＬＥＤに寄生的に形成された寄生キャパシタが放電され、これにより、ブラック表現能力を向上させることができる。
【０２４１】
この後、ｉ番目の第１発光制御線Ｅ１ｉに発光制御信号Ｆ１ｉの供給が中断される。
【０２４２】
ｉ番目の第１発光制御線Ｅ１ｉに発光制御信号Ｆ１ｉの供給が中断されると、第５トランジスターＴ５および第６トランジスターＴ６がターン−オンされる。そうすると、第１電源ＥＬＶＤＤから、第５トランジスターＴ５、第１トランジスターＴ１、第６トランジスターＴ６および有機発光ダイオードＯＬＥＤを経由して、第２電源ＥＬＶＳＳにまで続く電流経路が形成される。
【０２４３】
この時、第１トランジスターＴ１は、第１０ノードＮ１０の電圧に対応して、第１電源ＥＬＶＤＤから有機発光ダイオードＯＬＥＤを経由して第２電源ＥＬＶＳＳに流れる電流量を制御する。有機発光ダイオードＯＬＥＤは、第１トランジスターＴ１から供給される電流量に対応して、所定輝度の光を生成する。
【０２４４】
実際、第１画素ＰＸＬ１’は、前述した過程を繰り返しつつ、所定輝度の光を生成することができる。また、第２画素ＰＸＬ２’および第３画素ＰＸＬ３’も、第１画素ＰＸＬ１’と同じ方式で駆動され得る。
【０２４５】
ｉ番目の第１発光制御線Ｅ１ｉに供給される発光制御信号Ｆ１ｉは、データ信号が画素ＰＸＬ１’、ＰＸＬ２’、ＰＸＬ３’に充電される期間の間、すなわち、これら画素の画素電極に、データ信号に対応する電荷が供給される間に、これら画素ＰＸＬ１’、ＰＸＬ２’、ＰＸＬ３’が非発光状態に設定されるように、少なくとも一つの走査信号と重なるように供給され得る。このような発光制御信号Ｆ１ｉの供給タイミングは多様な形態に変更され得る。
【０２４６】
図１２は、図１０に図示された発光駆動部をより詳しく示した図面である。
【０２４７】
図１２を参照すると、第１発光駆動部３１１は多数の第１発光ステージ回路ＥＳＴ１１〜ＥＳＴ１ｊを含むことができる。
【０２４８】
第１発光ステージ回路ＥＳＴ１１〜ＥＳＴ１ｊはそれぞれ第１発光制御線Ｅ１１〜Ｅ１ｊの一端に連結され、これを通じて第１発光制御線Ｅ１１〜Ｅ１ｊに第１発光制御信号Ｆ１１〜Ｆ１ｊを供給することができる。
【０２４９】
ここで、第１発光ステージ回路ＥＳＴ１１〜ＥＳＴ１ｊは、タイミング制御部２５０から供給されるクロック信号ＣＬＫ３、ＣＬＫ４に対応して動作することができる。また、第１発光ステージ回路ＥＳＴ１１〜ＥＳＴ１ｊは、いずれも同じ構造の回路で具現され得る。
【０２５０】
第１発光ステージ回路ＥＳＴ１１〜ＥＳＴ１ｊは、以前（特には直前）の発光ステージ回路の出力信号（すなわち、発光制御信号）または第２開始信号ＦＬＭ２の供給を受けることができる。
【０２５１】
例えば、一番目の第１発光ステージ回路ＥＳＴ１１は、第２開始信号ＦＬＭ２の供給を受け、残りの第１発光ステージ回路ＥＳＴ１２〜ＥＳＴ１ｊは、以前の発光ステージ回路の出力信号の供給を受けることができる。
【０２５２】
第２発光ステージ回路ＥＳＴ２１〜ＥＳＴ２ｎは、それぞれ第２発光制御線Ｅ２１〜Ｅ２ｎの一端に連結され、これを通じて第２発光制御線Ｅ２１〜Ｅ２ｎに第２発光制御信号Ｆ２１〜Ｆ２ｎを供給することができる。
【０２５３】
ここで、第２発光ステージ回路ＥＳＴ２１〜ＥＳＴ２ｎは、タイミング制御部２５０から供給されるクロック信号ＣＬＫ３、ＣＬＫ４に対応して動作することができる。また、第２発光ステージ回路ＥＳＴ２１〜ＥＳＴ２ｎは、いずれも同じ構造の回路で具現され得る。
【０２５４】
第２発光ステージ回路ＥＳＴ２１〜ＥＳＴ２ｎは以前（特には直前）の発光ステージ回路の出力信号の供給を受けることができる。
【０２５５】
例えば、一番目の第２発光ステージ回路ＥＳＴ２１は、第１発光駆動部３１１の最後の第１発光ステージ回路ＥＳＴ１ｊから出力する信号Ｆ１ｊを開始信号として使うことができ、残りの第２発光ステージ回路ＥＳＴ２２〜ＥＳＴ２ｎは、以前（特には直前）の発光ステージ回路の出力信号の供給を受けることができる。
【０２５６】
また、第２発光駆動部３１２の最後の発光ステージ回路ＥＳＴ２ｎは、第３発光駆動部３１３の一番目の発光ステージ回路ＥＳＴ３１に出力信号を供給することができる。
【０２５７】
第３発光ステージ回路ＥＳＴ３１〜ＥＳＴ３ｋはそれぞれ第３発光制御線Ｅ３１〜Ｅ３ｋの一端に連結され、これを通じて第３発光制御線Ｅ３１〜Ｅ３ｋに第３発光制御信号Ｆ３１〜Ｆ３ｋを供給することができる。
【０２５８】
この時、第３発光ステージ回路ＥＳＴ３１〜ＥＳＴ３ｋは、タイミング制御部２５０から供給されるクロック信号ＣＬＫ３、ＣＬＫ４に対応して動作することができる。また、第３発光ステージ回路ＥＳＴ３１〜ＥＳＴ３ｋは、いずれも同じ構造の回路で具現され得る。
【０２５９】
第３発光ステージ回路ＥＳＴ３１〜ＥＳＴ３ｋは、以前（特には直前）の発光ステージ回路の出力信号の供給を受けることができる。
【０２６０】
例えば、一番目の第３発光ステージ回路ＥＳＴ３１は、第２発光駆動部３１２の最後の第２発光ステージ回路ＥＳＴ２ｎから出力する信号Ｆ２ｎを開始信号として使うことができ、残りの第３発光ステージ回路ＥＳＴ３２〜ＥＳＴ３ｋは、以前（特には直前）の発光ステージ回路の出力信号の供給を受けることができる。
【０２６１】
一方、発光制御信号Ｆ１１〜Ｆ１ｊ、Ｆ２１〜Ｆ２ｎ、Ｆ３１〜Ｆ３ｋの幅は、第２開始信号ＦＬＭ２の幅に対応して決定され得る。換言すれば、第２開始信号ＦＬＭ２の幅が広くなるほど、発光制御信号Ｆ１１〜Ｆ１ｊ、Ｆ２１〜Ｆ２ｎ、Ｆ３１〜Ｆ３ｋの幅が広くなり得る。
【０２６２】
第２開始信号ＦＬＭ２の幅は、駆動方法に対応して多様に設定され得る。
【０２６３】
図１３ａおよび図１３ｂは本発明の一実施例に係る表示装置の駆動方法を説明するための波形図である。特に、図１３ａは第２モードでの一つのフレーム期間ＰＦを図示し、図１３ｂは第１モードでの一つのフレーム期間ＰＦ’を図示した。この場合、走査信号Ｇ１１〜Ｇ１ｊ、Ｇ２１〜Ｇ２ｎ、Ｇ３１〜Ｇ３ｋは図６ａおよび図６ｂに図示された形態に供給され得るため、これに対する詳しい説明および図示は省略した。参考のために、第１開始信号ＦＬＭ１は追加的に図示した。
【０２６４】
図１３ａを参照すると、第２モードにて、第１発光制御信号Ｆ１１〜Ｆ１ｊは第１期間Ｐ１の間にわたって供給され、第２発光制御信号Ｆ２１〜Ｆ２ｎは第２期間Ｐ２の間にわたって供給され、第３発光制御信号Ｆ３１〜Ｆ３ｋは第３期間Ｐ３の間にわたって供給されるのであり得る。
【０２６５】
第２開始信号ＦＬＭ２の供給に対応して、第１発光駆動部３１１は、第１発光制御信号Ｆ１１〜Ｆ１ｊの供給を開始し、順次、第２発光駆動部３１２および第３発光駆動部３１３は第２発光制御信号Ｆ２１〜Ｆ２ｎと第３発光制御信号Ｆ３１〜Ｆ３ｋの供給を開始することができる。
【０２６６】
例えば、第１発光駆動部３１１は、第１期間Ｐ１の間に、第１発光制御信号Ｆ１１〜Ｆ１ｊを順次供給することができ、第２発光駆動部３１２は、第２期間Ｐ２の間に、第２発光制御信号Ｆ２１〜Ｆ２ｎを順次供給することができ、第３発光駆動部３１３は、第３期間Ｐ３の間に、第３発光制御信号Ｆ３１〜Ｆ３ｋを順次供給することができる。
【０２６７】
ここで、第１発光制御信号Ｆ１１〜Ｆ１ｊはそれぞれ第１パルス幅Ｂ１を有することができ、第２発光制御信号Ｆ２１〜Ｆ２ｎはそれぞれ第２パルス幅Ｂ２を有することができ、第３発光制御信号Ｆ３１〜Ｆ３ｋはそれぞれ第３パルス幅Ｂ３を有することができる。
【０２６８】
また、第１期間Ｐ１は多数の第１水平期間Ｈ１を含み、第２期間Ｐ２は多数の第２水平期間Ｈ２を含み、第３期間Ｐ３は多数の第３水平期間Ｈ３を含むことができる。
【０２６９】
第２モードは正常モード（Ｎｏｒｍａｌ  Ｍｏｄｅ）に該当するので、第１パルス幅Ｂ１、第２パルス幅Ｂ２および第３パルス幅Ｂ３が同一に設定され、第１水平期間Ｈ１、第２水平期間Ｈ２、および第３水平期間Ｈ３の幅が同一に設定され得る。
【０２７０】
例えば、発光制御信号Ｆ１１〜Ｆ１ｊ、Ｆ２１〜Ｆ２ｎ、Ｆ３１〜Ｆ３ｋは、各水平期間Ｈ１、Ｈ２、Ｈ３の整数倍に設定され得るのであり、図１３ａおよび図１３ｂでは、発光制御信号Ｆ１１〜Ｆ１ｊ、Ｆ２１〜Ｆ２ｎ、Ｆ３１〜Ｆ３ｋが、６個の水平期間と同じ幅を有する場合を例示的に図示した。
【０２７１】
第１パルス幅Ｂ１、第２パルス幅Ｂ２および第３パルス幅Ｂ３を同一に設定するために、各期間Ｐ１、Ｐ２、Ｐ３で供給されるクロック信号ＣＬＫ１、ＣＬＫ２の幅は一定に設定され得る。
【０２７２】
図１３ｂを参照すると、第１モードでは第１発光制御信号Ｆ１１〜Ｆ１ｊの第１パルス幅Ｂ１’が第２発光制御信号Ｆ２１〜Ｆ２ｎの第２パルス幅Ｂ２’と異なるように設定され得る。
【０２７３】
また、第１モードでは第３発光制御信号Ｆ３１〜Ｆ３ｋの第３パルス幅Ｂ３’が第２発光制御信号Ｆ２１〜Ｆ２ｎの第２パルス幅Ｂ２’と異なるように設定され得る。
【０２７４】
例えば、第１パルス幅Ｂ１’が第２パルス幅Ｂ２’より小さく設定され得るのであり、第３パルス幅Ｂ３’が第２パルス幅Ｂ２’より小さく設定され得る。
【０２７５】
前述した通り、第１パルス幅Ｂ１’、第２パルス幅Ｂ２’、および第３パルス幅Ｂ３’を設定するために、各期間Ｐ１、Ｐ２、Ｐ３で供給されるクロック信号ＣＬＫ３、ＣＬＫ４の幅は変更され得る。
【０２７６】
また、第１期間Ｐ１’および第３期間Ｐ３’が減少することによって、第１水平期間Ｈ１’および第３水平期間Ｈ３’の幅も減少し得るのであり、第２期間Ｐ２’が増加することによって第２水平期間Ｈ２’の幅は増加し得る。
【０２７７】
これにより、第１水平期間Ｈ１’および第３水平期間Ｈ３’の幅は、第２水平期間Ｈ２’より小さく設定され得る。
【０２７８】
前述した第１水平期間Ｈ１、Ｈ１’、第２水平期間Ｈ２、Ｈ２’、および第３水平期間Ｈ３、Ｈ３’の幅は、タイミング制御部２５０により制御され得る。
【０２７９】
また、第１パルス幅Ｂ１’と第３パルス幅Ｂ３’は、互いに同一であるか異なるように設定され得るのであり、第１水平期間Ｈ１’の幅と第３水平期間Ｈ３’の幅は互いに同一であるか異なるように設定され得る。
【０２８０】
図１４ａおよび図１４ｂは、本発明の他の実施例に係る表示装置の駆動方法を説明するための波形図である。特に、図１４ａは第２モードでの一つのフレーム期間ＰＦを図示し、図１４ｂは第１モードでの一つのフレーム期間ＰＦ’を図示した。この場合、走査信号Ｇ１１〜Ｇ１ｊ、Ｇ２１〜Ｇ２ｎ、Ｇ３１〜Ｇ３ｋは、図７ａおよび図７ｂに図示された形態で供給され得るため、これに対する詳しい説明および図示は省略した。参考のために、第１開始信号ＦＬＭ１は追加的に図示した。
【０２８１】
図１３ａおよび図１３ｂでは、発光制御信号Ｆ１１〜Ｆ１ｊ、Ｆ２１〜Ｆ２ｎ、Ｆ３１〜Ｆ３ｋが６個の水平期間と同じ幅を有する場合を図示した。ところが、図１４ａおよび１４ｂでは、発光制御信号Ｆ１１〜Ｆ１ｊ、Ｆ２１〜Ｆ２ｎ、Ｆ３１〜Ｆ３ｋが、１０個の水平期間と同じ幅を有する場合を図示した。
【０２８２】
ここでは、前述した実施例と比較して変更された部分を中心に説明を進め、前述した実施例と重複する部分に対しては説明を省略する。
【０２８３】
図１４ａを参照すると、第２モードでは、第１発光制御信号Ｆ１１〜Ｆ１ｊの第１パルス幅Ｂ１、第２発光制御信号Ｆ２１〜Ｆ２ｎの第２パルス幅Ｂ２、および第３発光制御信号Ｆ３１〜Ｆ３ｋの第３パルス幅Ｂ３が、いずれも同一に設定され得る。
【０２８４】
また、第２モードでは、第１期間Ｐ１の第１水平期間Ｈ１、第２期間Ｐ２の第２水平期間Ｈ２、および第３期間Ｐ３の第３水平期間Ｈ３が、いずれも同一に設定され得る。
【０２８５】
図１４ｂを参照すると、第１モードでは、第１発光制御信号Ｆ１１〜Ｆ１ｊの第１パルス幅Ｂ１’が、第２発光制御信号Ｆ２１〜Ｆ２ｎの第２パルス幅Ｂ２’と異なるように設定され得る。
【０２８６】
また、第１モードでは、第３発光制御信号Ｆ３１〜Ｆ３ｋの第３パルス幅Ｂ３’が、第２発光制御信号Ｆ２１〜Ｆ２ｎの第２パルス幅Ｂ２’と異なるように設定され得る。
【０２８７】
例えば、第１パルス幅Ｂ１’が第２パルス幅Ｂ２’より小さく設定され得るのであり、第３パルス幅Ｂ３’が、第２パルス幅Ｂ２’より小さく設定され得る。
【０２８８】
ただし、第１発光制御信号Ｆ１１〜Ｆ１ｊ中の一部は、他の第１発光制御信号と比べて広いパルス幅Ｂ１’を有することができる。
【０２８９】
例えば、ｊ番目の第１発光制御信号Ｆ１ｊは第１期間Ｐ１で６個の第１水平期間Ｈ１’の間供給され、第２期間Ｐ１で４個の第２水平期間Ｈ２’の間供給され得る。
【０２９０】
ここで、第２水平期間Ｈ２’の幅は第１水平期間Ｈ１’より大きいので、ｊ番目の第１発光制御信号Ｆ１ｊは、１０個の第１水平期間Ｈ１’の間供給される他の第１発光制御信号と比べて広いパルス幅Ｂ１’を有することができる。
【０２９１】
また、第２発光制御信号Ｆ２１〜Ｆ２ｎ中の一部は、他の第２発光制御信号と比べて狭いパルス幅Ｂ２’を有することができる。
【０２９２】
例えば、一番目の第２発光制御信号Ｆ２１は、第１期間Ｐ１で５個の第１水平期間Ｈ１’の間にわたって供給され、第２期間Ｐ２で５個の第２水平期間Ｈ２’の間にわたって供給されるのであり得る。
【０２９３】
また、ｎ番目の第２発光制御信号Ｆ２ｎは、第２期間Ｐ２で６個の第２水平期間Ｈ２’の間にわたって供給され、第３期間Ｐ３で４個の第３水平期間Ｈ３’の間にわたって供給されるのであり得る。
【０２９４】
この時、第２水平期間Ｈ２’の幅は、第１水平期間Ｈ１’および第３水平期間Ｈ３’より大きいので、一番目の第２発光制御信号Ｆ２１とｎ番目の第２発光制御信号Ｆ２ｎは、１０個の第２水平期間Ｈ２’の間にわたって供給される他の第２発光制御信号と比べて、狭く、パルス幅Ｂ１’を有することができる。
【０２９５】
また、第３発光制御信号Ｆ３１〜Ｆ３ｋ中の一部は、他の第３発光制御信号と比べて、広いパルス幅Ｂ３’を有することができる。
【０２９６】
例えば、一番目の第３発光制御信号Ｆ３１は、第２期間Ｐ２で５個の第２水平期間Ｈ２’の間にわたって供給され、第３期間Ｐ３で５個の第３水平期間H３’の間にわたって供給されるのであり得る。
【０２９７】
ここで、第２水平期間Ｈ２’の幅は、第３水平期間Ｈ３’より大きいので、一番目の第３発光制御信号Ｆ３１は、１０個の第３水平期間Ｈ３’の間にわたって供給される他の第３発光制御信号と比べて広いパルス幅Ｂ３’を有することができる。
【０２９８】
図１４ａおよび１４ｂでは、各発光制御信号Ｆ１１〜Ｆ１ｊ、Ｆ２１〜Ｆ２ｎ、Ｆ３１〜Ｆ３ｋが１０個の水平期間の間にわたって供給される場合を例示的に図示したが、これに制限されず、発光制御信号Ｆ１１〜Ｆ１ｊ、Ｆ２１〜Ｆ２ｎ、Ｆ３１〜Ｆ３ｋの供給期間は多様に変更され得る。
【０２９９】
図１５は、本発明のさらに他の実施例に係る表示装置の構成を具体的に示す図面である。ここでは前述した実施例と比較して変更された部分を中心に説明を進め、前述した実施例と重複する部分に対しては説明を省略する。
【０３００】
図１５を参照すると、本発明のさらに他の実施例に係る表示装置１０’’’は、発光制御信号の遅延を防止するために、複数の第１発光駆動部３１１、３１１’、複数の第２発光駆動部３１２、３１２’、および複数の第３発光駆動部３１３、３１３’を含むことができる。
【０３０１】
特には、左右の第１発光駆動部３１１、３１１’が、第１発光制御線Ｅ１１〜Ｅ１ｊの両端にそれぞれ連結され得る。
【０３０２】
左右の第１発光駆動部３１１、３１１’は、同じ発光駆動部制御信号ＥＣＳ１に対応して、第１発光制御線Ｅ１１〜Ｅ１ｊに第１発光制御信号を供給することができる。
【０３０３】
これにより、左右の第１発光駆動部３１１、３１１’は、同じ発光制御線に対して同時に第１発光制御信号を供給することができる。
【０３０４】
また、第１発光駆動部３１１、３１１’は、互いに同じ回路構造を有することができる。
【０３０５】
上記と同様に、左右の第２発光駆動部３１２、３１２’が、第２発光制御線Ｅ２１〜Ｅ２ｎの両端にそれぞれ連結され得る。
【０３０６】
左右の第２発光駆動部３１２、３１２’は、同じ発光駆動部制御信号ＥＣＳ２に対応して第２発光制御線Ｅ２１〜Ｅ２ｎに第２発光制御信号を供給することができる。
【０３０７】
これにより、第２発光駆動部３１２、３１２’は、同じ発光制御線に対して同時に第２発光制御信号を供給することができる。
【０３０８】
また、第２発光駆動部３１２、３１２’は、互いに同じ回路構造を有することができる。
【０３０９】
上記と同様に、左右の第３発光駆動部３１３、３１３’が、第３発光制御線Ｅ３１〜Ｅ３ｋの両端にそれぞれ連結され得る。
【０３１０】
左右の第３発光駆動部３１３、３１３’は、同じ発光駆動部制御信号ＥＣＳ３に対応して、第３発光制御線Ｅ３１〜Ｅ３ｋに第３発光制御信号を供給することができる。
【０３１１】
これにより、左右の第３発光駆動部３１３、３１３’は同じ発光制御線に対して同時に第３発光制御信号を供給することができる。
【０３１２】
また、第３発光駆動部３１３、３１３’は、互いに同じ回路構造を有することができる。
【０３１３】
本発明が属する技術分野の通常の知識を有する者は、本発明がその技術的思想や必須の特徴を変更することなく異なる具体的な形態で実施され得ることが理解できるであろう。したがって、前述した実施例はすべての面において例示的なものであり、限定的なものではないと理解されるべきである。本発明の範囲は前記詳細な説明よりは後述する特許請求の範囲によって示され、特許請求の範囲の意味および範囲そしてその均等概念から導き出されるすべての変更または変形された形態が本発明の範囲に含まれると解釈されるべきである。
【０３１４】
上述したように、本願実施形態では、例えば図１ａのように、スマートフォンなどをウェアラブル装置に装着して、バーチャルリアリティ（virtual reality）などを実現する形態（「第１モード」）で使用する際には、スマートフォンの表示面の特定の領域（視認領域ＶＤＡ；「第２画素領域」）のみを使用する。例えば、図１ａに示す、ウェアラブル装置３０における両眼の箇所のレンズ２０の近傍のみに、実際の映像を表示して使用する。また、この際、通常、ダイナミックな動きを表現すべく、スマートフォンなどの通常の使用時（「第２モード」）に比べ、高いフレーム周波数で駆動する。例えば、通常の使用時に、１秒あたり６０フレームであるとすれば、バーチャルリアリティのための「第１モード」では、１秒あたり９０〜１８０フレームを表示することができる。
【０３１５】
本願実施形態では、高いフレーム周波数で使用するために、各画素への書き込み（画素電極への電荷の供給）が不充分になり、映像表示品質が低くなるのを抑えるべく、ウェアラブル装置での視認領域ＶＤＡ（「第２画素領域」）に書き込む際の水平期間（「第２水平期間Ｈ２」）及びゲートパルスの幅（「第２パルス幅Ｗ２」）を長くする（図６ｂ、図７ｂなど）。そして、その分だけ、非視認領域ＶＮＤＡ（「第１画素領域ＡＡ１」及び「第３画素領域ＡＡ３」）における水平期間（「第１水平期間Ｈ１」及び「第３水平期間Ｈ３」）及びゲートパルスの幅（「第１パルス幅Ｗ１」及び「第３パルス幅Ｗ３」）を短くする。
【０３１６】
また、発光制御信号を各画素に供給する場合、発光制御信号は、視認領域ＶＤＡ（「第２画素領域ＡＡ２」）へ供給するパルス幅を、同様に長くし、非視認領域ＶＮＤＡ（「第１画素領域ＡＡ１」及び「第３画素領域ＡＡ３」）へ供給するパルス幅を同様に短くする。
【０３１７】
好ましい実施形態においては、ウェアラブル装置に装着して用いる場合に、使用者により、視認領域ＶＤＡの境界が視認されるのを抑えるべく、非視認領域ＶＮＤＡ（「第１画素領域ＡＡ１」及び「第３画素領域ＡＡ３」）には、視認領域ＶＤＡ（「第２画素領域」）の縁部（末端の走査線に関連した画素）に、直前フレームにて供給された映像のデータ信号を供給する。
【０３１８】
好ましい一実施形態においては、図２〜３のように、視認領域ＶＤＡと、非視認領域ＶＮＤＡとが、データ線に沿った方向に並んでいる。例えば、両眼に対応して、２つの視認領域ＶＤＡが備えられ場合、これをデータ線の方向から挟むように、３つの非視認領域ＶＮＤＡを備えることができる。しかし、図２〜３そのもののように、１つの視認領域ＶＤＡを、２つの非視認領域ＶＮＤＡが挟み込むのであってもよい。
【０３１９】
なお、視認領域ＶＤＡは、スマートフォンなどの表示装置の表示面における走査線方向の全幅にわたって設けられる必要はなく、走査線方向の両端部が省かれても良い。このように両端部が省かれても、視認領域ＶＤＡの走査線数に変化はないので、上述と同様にゲートパルス幅を調整することができる。
【図１ａ】
2018097360.tif 000003
【図１ｂ】
2018097360.tif 000004
【図１ｃ】
2018097360.tif 000005
【図２】
2018097360.tif 000006
【図３】
2018097360.tif 000007
【図４】
2018097360.tif 000008
【図５】
2018097360.tif 000009
【図６ａ】
2018097360.tif 000010
【図６ｂ】
2018097360.tif 000011
【図７ａ】
2018097360.tif 000012
【図７ｂ】
2018097360.tif 000013
【図８】
2018097360.tif 000014
【図９】
2018097360.tif 000015
【図１０】
2018097360.tif 000016
【図１１ａ】
2018097360.tif 000017
【図１１ｂ】
2018097360.tif 000018
【図１２】
2018097360.tif 000019
【図１３ａ】
2018097360.tif 000020
【図１３ｂ】
2018097360.tif 000021
【図１４ａ】
2018097360.tif 000022
【図１４ｂ】
2018097360.tif 000023
【図１５】
2018097360.tif 000024